(57)【要約】【課題】使用者によって異なる顔面の形状に対応し、使用者の鼻筋周りの気密性が高い呼吸補助マスクを提供すること。【解決手段】マスクフレームと、マスクフレームの裏面に固定されていると共に、使用者の顔面に密接するマスクパッドとを有するマスク手段と、固定フレームと、額当てフレームとを備え、該固定フレームは、前記マスクフレームの前方に配置されている上、その下端部が前記マスクフレームの下端部に枢支され、全体が前記枢支を中心に前記マスクフレームの前面に対し接近したり離間したりするように回動することができるよう構成され、該額当てフレームは架橋部を介して前記固定フレームの上端部に固定された固定手段と、前記固定フレームと前記マスクフレームとの間に、前記固定フレームの前記マスクフレームに対する回動を調整的に止めることができるように構成された調整手段と、を備えた呼吸補助マスクを提供する。【選択図】図１
2011104096.tif 000002
【特許請求の範囲】
【請求項１】
マスク手段と、固定手段と、調整手段とを備えており、給気手段と連結して給気を受けることにより、着用している使用者の呼吸を補助する呼吸補助マスクであって、
前記マスク手段は、マスクフレームと、マスクフレームの裏面に固定されていると共に、使用者の顔面に密接することができるように構成されているマスクパッドとを有しており、
前記固定手段は、固定フレームと、額当てフレームとを備えており、該固定フレームは、前記マスクフレームの前方に配置されている上、その下端部が前記マスクフレームの下端部に枢支され、且つ、全体が前記枢支を中心に前記マスクフレームの前面に対し接近したり離間したりするように回動することができるように構成されており、該額当てフレームは、架橋部を介して前記固定フレームの上端部に固定されており、
前記調整手段は、前記固定フレームと前記マスクフレームとの間に、前記固定フレームの前記マスクフレームに対する回動を調整的に止めることができるように構成されており、
それにより、締付バンドで使用者の顔面にとりつけられると、前記固定フレームの前記マスクフレームの前面に対する回動角度を制限することによって該マスク手段の顔面に対する適応性を調整できることを特徴とする呼吸補助マスク。
【請求項２】
前記額当てフレームの裏側には、付勢手段の一端が固定され、更に、該付勢手段の他端には使用者の額に密接することができる額当てパッドが取り付けられており、
前記固定フレームの下端近くの両側にそれぞれ第１の接続ラグが形成されており、
前記額当てフレームの両側にそれぞれ第２の接続ラグが形成されており、
また、該第１及び第２の接続ラグにより、前記固定フレーム及び前記額当てフレームにそれぞれ締付バンドが付設されていることを特徴とする請求項１記載の呼吸補助マスク。
【請求項３】
前記マスク手段には、給気手段と連結して給気を導入することができるコネクタを更に有し、前記固定フレーム中央近くに、前記コネクタが突出できる通孔が形成されており、
前記調整手段は、前記マスクフレームから前方へ前記通孔を通過するように延伸している上、それぞれ一連の係止孔を有するように形成されている一対の可撓性タブと、該一対の可撓性タブにそれぞれ形成されている一連の係止孔に対応して嵌合することができるように、前記固定フレームにおける通孔周縁の両側に互いに向き合うように形成されている一対の係止突起とを備えていることを特徴とする請求項２記載の呼吸補助マスク。
【請求項４】
前記マスク手段には、給気手段と連結して給気を導入することができるコネクタを更に有し、前記固定フレーム中央近くに、前記コネクタが突出できる通孔が形成されており、
前記調整手段は、前記マスクフレームから前記通孔を通過するように延伸すると共に、延伸のルートにおいて前記通孔の上端縁に当接すことができるように構成されている可撓性タブと、可撓性タブから上方に突出するように形成されている一連の係止突起とを備え、前記可撓性タブが前記通孔の上端縁に当接すると、前記係止突起は前記通孔の上端縁に係止して前記固定フレームの前記マスクフレームに対する回動を制限することが出来、また、前記可撓性タブを下方に曲げるように操作すると、前記可撓性タブの係止突起による制限が解除されるので、前記固定フレームはまた前記マスクフレームに対して回動可能になることを特徴とする請求項２記載の呼吸補助マスク。
【請求項５】
前記調整手段は、前記固定フレームに形成され、内周面に雌ねじが形成されているねじ孔と、前記ねじ孔に対応する雄ねじが形成されている調整棒と、前記マスクフレームに形成され、前記ねじ孔に挿し込まれる前記調整棒の先端が固定されている連結部とを備え、
更に、前記連結部には収容孔が前記ねじ孔に対応して形成されており、
前記調整棒には前記雄ねじより細く形成されている小径部と、前記小径部の先端に張り出すように形成されているフランジとを有し、
前記小径部は前記収容孔に挿し込まれ、前記フランジは前記連結部の後方に当接していることを特徴とする請求項２記載の呼吸補助マスク。
【発明の詳細な説明】
【技術分野】
【０００１】
本願発明は、呼吸補助マスクに関し、特に、使用者の鼻筋周りの気密性が高い呼吸補助マスクに関する。
【背景技術】
【０００２】
図１４では、給気手段と連結して給気を受けることによって、着用する使用者の呼吸を補助する従来の呼吸補助マスクの一例が示されている。図示されるように、該呼吸補助マスクは、接続口１３を介して給気手段と連通すると共に、使用者の口及び鼻孔を遮蔽できるマスク本体部１１と、マスク本体部１１から架橋部１４を介して上方へ延伸し使用者の額部１０に当接できるようになっている額当てフレーム１５と、マスク本体部１１及び額当てフレーム１５を使用者の顔面に締め付けることができる２本の締付バンド１４１とを備えている。
この呼吸補助マスクは、マスク本体部１１及び額当てフレーム１５の位置関係が一定であるため、図示されるように、着用する使用者の顔面構造によって、使用者の顔面にピッタリと貼り付けられるとは限らない。例えば、使用者の鼻筋の高さが比較的低い場合は、マスク本体部１１の上端部が使用者の鼻筋に当接できなくなり、給気手段からの給気が漏れやすくなる。
また、図１５は特許文献１により開示された顔面マスクのための前頭部支持体の断面図である。図示されるように、該前頭部支持体は、マスク本体部１６と額当て１７との間に回動機構１８を増設しているので、額の高さの違いに対応することが出来る。
【先行技術文献】
【特許文献】
【０００３】
【特許文献１】特表２００３−５０２１１９号明細書
【発明の概要】
【発明が解決しようとする課題】
【０００４】
しかし、特許文献１の前頭部支持体は、額の高さの違いに対応することを重視するが、使用者の鼻筋の高さに対する対応性も同等に高いとは言えない。特に、鼻筋が一般的に高くない東アジア人に対し、鼻筋周りへの気密性はやはり問題になりやすい。
従って、本発明は使用者の鼻筋周りの気密性が高い呼吸補助マスクの提供を目的とする。
【課題を解決するための手段】
【０００５】
上記目的を達成すべく、本発明は、マスク手段と、固定手段と、調整手段とを備えており、給気手段と連結して給気を受けることにより、着用している使用者の呼吸を補助する呼吸補助マスクであって、
前記マスク手段は、前記給気手段と連結して給気を導入することができるマスクフレームと、マスクフレームの裏面に固定されていると共に、使用者の顔面に密接することができるように構成されているマスクパッドとを有しており、
前記固定手段は、固定フレームと、額当てフレームとを備えており、該固定フレームは、前記マスクフレームの前方に配置されている上、その下端部が前記マスクフレームの下端部に枢支され、且つ、全体が前記枢支を中心に前記マスクフレームの前面に対し接近したり離間したりするように回動することができるように構成されており、該額当てフレームは、架橋部を介して前記固定フレームの上端部に固定されており、
前記調整手段は、前記固定フレームと前記マスクフレームとの間に、前記固定フレームの前記マスクフレームに対する回動を調整的に止めることができるように構成されており、
それにより、締付バンドで使用者の顔面にとりつけられると、前記固定フレームの前記マスクフレームの前面に対する回動角度を制限することによって該マスク手段の顔面に対する適応性を調整できることを特徴とする呼吸補助マスクを提供する。
【０００６】
なお、上記呼吸補助マスクの締付バンド設置についての構成として、前記額当てフレームの裏側には、付勢手段の一端が固定され、更に、該付勢手段の他端に使用者の額に密接することができる額当てパッドが取り付けられており、前記固定フレームの下端近くの両側にそれぞれ第１の接続ラグが形成されており、前記額当てフレームの両側にそれぞれ第２の接続ラグが形成されており、また、該第１及び第２の接続ラグにより、前記固定フレーム及び前記額当てフレームにそれぞれ締付バンドが付設されている方式が挙げられる。
【０００７】
更に、上記本発明の呼吸補助マスクにおいて、前記マスク手段には、給気手段と連結して給気を導入することができるコネクタを更に有し、前記固定フレーム中央近くに、前記コネクタが突出できる通孔が形成されており、前記調整手段は、前記マスクフレームから前方へ前記通孔を通過するように延伸している上、それぞれ一連の係止孔を有するように形成されている一対の可撓性タブと、該一対の可撓性タブにそれぞれ形成されている一連の係止孔に対応して嵌合することができるように、前記固定フレームにおける通孔周縁の両側に互いに向き合うように形成されている一対の係止突起とを備えるように構成することができる。
【０００８】
また、上記本発明の呼吸補助マスクにおいて、前記マスク手段には、給気手段と連結して給気を導入することができるコネクタを更に有し、前記固定フレーム中央近くに、前記コネクタが突出できる通孔が形成されており、前記調整手段は、前記マスクフレームから前記通孔を通過するように延伸すると共に、延伸のルートにおいて前記通孔の上端縁に当接することができるように構成されている可撓性タブと、可撓性タブから上方に突出するように形成されている一連の係止突起とを備え、前記可撓性タブが前記通孔の上端縁に当接すると、前記係止突起は前記通孔の上端縁に係止して前記固定フレームの前記マスクフレームに対する回動を制限することが出来、また、前記可撓性タブを下方に曲げるように操作すると、前記可撓性タブの係止突起による制限が解除されるので、前記固定フレームはまた前記マスクフレームに対して回動可能になるように構成することもできる。
【０００９】
更にまた、上記本発明の呼吸補助マスクにおいて、前記調整手段は、前記固定フレームに形成され、内周面に雌ねじが形成されているねじ孔と、前記ねじ孔に対応する雄ねじが形成されている調整棒と、前記マスクフレームに形成され、前記ねじ孔に挿し込まれている前記調整棒の先端が固定されている連結部とを備え、更に、前記連結部には収容孔が前記ねじ孔に対応して形成されており、前記調整棒には前記雄ねじより細く形成されている小径部と、前記小径部の先端に張り出すように形成されているフランジとを有し、前記小径部は前記収容孔に挿し込まれ、前記フランジは前記連結部の後方に当接するように構成することも可能である。
【発明の効果】
【００１０】
上記構成により、本発明の呼吸補助マスクは、互いに回動可能な固定フレーム及びマスクフレームと、回動角度を調整する調整手段とを有することにより、使用者によって異なる顔面の形状に対応し、使用者の鼻や口の周りを確実に遮蔽することができる。
【図面の簡単な説明】
【００１１】
【図１】本発明の第１の実施形態の呼吸補助マスクの着用状態が示されている斜視図である。
【図２】本発明の第１の実施形態の呼吸補助マスクの構成が示されている分解図である。
【図３】本発明の第１の実施形態の呼吸補助マスクにおける調整手段の構成が示されている正面図である。（係止突起と係止孔が嵌合している場合）
【図４】本発明の第１の実施形態の呼吸補助マスクにおける調整手段の構成が示されている正面図である。（係止突起と係止孔が嵌合してない場合）
【図５】本発明の第１の実施形態の呼吸補助マスクの角度調整方法が示されている側面図である。
【図６】本発明の第１の実施形態の呼吸補助マスクを鼻筋が比較的に低い使用者が着用する側面図である。
【図７】本発明の第１の実施形態の呼吸補助マスクを鼻筋が比較的に高い使用者が着用する側面図である。
【図８】本発明の第２の実施形態の呼吸補助マスクの構成が示されている斜視図である。
【図９】本発明の第２の実施形態の呼吸補助マスクの構成が示されている断面図である。
【図１０】本発明の第３の実施形態の呼吸補助マスクの構成が示されている斜視図である。
【図１１】本発明の第３の実施形態の呼吸補助マスクの構成が示されている断面図である。
【図１２】本発明の第４の実施形態の呼吸補助マスクの構成が示されている斜視図である。
【図１３】本発明の第４の実施形態の呼吸補助マスクの構成が示されている断面図である。
【図１４】従来の呼吸補助マスクの一例が示されている斜視図である。
【図１５】特許文献１により開示された顔面マスクのための前頭部支持体の断面図である。
【発明を実施するための形態】
【００１２】
以下に、各図面を参照しながら、本発明の好ましい実施形態について詳しく説明する。
図１は本発明の第１の実施形態の呼吸補助マスクの着用状態が示されている斜視図であり、図２はその構成が示されている分解図である。
図１及び図２に示されるように、本発明の呼吸補助マスクは、マスク手段４と、固定手段３と、調整手段６とを備えている。マスク手段４は、マスクフレーム４１と、マスクフレーム４１の裏面に固定されていると共に、使用者の顔面に密接することができるように構成されているマスクパッド４２と、給気手段と連結して給気を導入することができるコネクタ４３とを有するように構成され、給気手段から給気を受けることにより、着用している使用者の呼吸を補助することができる。
【００１３】
固定手段３は、固定フレーム３２１と、架橋部３２を介して固定フレーム３２１の上端部に固定されている額当てフレーム３１１とを有するように形成されている。固定フレーム３２１の下端部には着用者の左右方向に沿って延伸する回動軸５１が設置されている。この回動軸５１は、固定フレーム３２１がマスクフレーム４１の前方にあるように、マスクフレーム４１の下端部に形成された軸孔５２に嵌合している。従って、固定フレーム３２１は回動軸５１及び軸孔５２によってマスクフレーム４の前方に枢支され、回動軸５１を中心にマスクフレーム４１の前面に対し接近したり離間したりするように回動することができる。
また、固定フレーム３２１の中央近くには、図２のように、通孔３２２が形成されている。図１のように、マスク手段４の、給気手段と連結して給気を導入することができるコネクタ４３は、通孔３２２から突出している。
そして、調整手段６は、マスクフレーム４１から前方へ通孔３２２を通過するように延伸している上、それぞれ一連の係止孔６１１を有するように形成されている一対の可撓性タブ６１と、該一対の可撓性タブ６１にそれぞれ形成されている一連の係止孔６１１に対応して嵌合することができるように、固定フレーム３２１における通孔３２２周縁の両側に互いに向き合うように形成されている一対の係止突起６２と、からなっている。
【００１４】
図３、図４には可撓性タブ６１と係止突起６２との対応関係が示されている。図３に示されるように、一対の係止突起６２がそれぞれ可撓性タブ６１に形成されている一対の係止孔６１１に嵌合しているので、固定フレーム３２１のマスクフレーム４１に対する回動を制限することが出来、また、このような状態において、図４に示されるように、該一対の可撓性タブ６１を互いに接近させるように操作すると、係止突起６２が係止孔６１１から外れ、固定フレーム３２１がマスクフレーム４１に対して回動自在になり、係止突起６２を他の係止孔６１１に嵌合させることができる。
更に、図１及び図２に示されるように、額当てフレーム３１１の裏側には、付勢手段３１３の一端が固定され、更に、該付勢手段３１３の他端に使用者の額に密接することができる額当てパッド３３が取り付けられており、固定フレーム３２１の下端近くの両側にそれぞれ締付バンドと接続することができる第１の接続ラグ３２３が形成され、額当てフレーム３１１の両側にもそれぞれ締付バンドと接続することができる第２の接続ラグ３１２が形成されている。
【００１５】
図５に示されるように、係止突起６２が可撓性タブ６１における最もマスクフレーム４１に近い係止孔６１１に嵌合している状態では、マスクパッド４２が前へ寄っているので、鼻筋８０１が比較的低い着用者の顔面に密接することが出来ないため、調整する必要がある。このような場合、図６に示されるように、係止突起６２が可撓性タブ６１におけるより先端に近い係止孔６１１に嵌合するように調整手段６を調整すると、マスクパッド４２は着用者の顔面に近付くので、固定フレーム３２１のマスクフレーム４１に対する回動角度が変えられ、着用者の顔面形状に対応することができる。特に、第２の接続ラグ３１２に接続されている締付バンドからの、付勢手段３１３を介して、固定フレーム３２１を着用者の顔面に固定する力は、支点としての回動軸５１を介して係止突起６２や可撓性タブ６１に伝わり、マスクフレーム４１を一層強く着用者の顔面に押し付けることが出来、気密性を高めることができる。
また、図７に示されるように、鼻筋８０１が比較的高い使用者が着用する場合、係止突起６２が可撓性タブ６１における、よりマスクフレーム４１に近い係止孔６１１に勘合するように調整手段６を調整すると、図６と同じように着用者の顔面に密接することが出来る。
【００１６】
次いで、図８、図９を参照して本発明の第２の実施形態について説明する。
図８に示されるように、本発明の第２の実施形態は第１の実施形態と類似する構成になっているので、以下はその相違点、即ち調整手段６の構成を中心に説明する。図示のように、この実施形態における調整手段６は、マスクフレーム４１から通孔３２２を通過するように延伸すると共に、延伸のルートにおいて通孔３２２の上端縁に当接することができるように構成されている可撓性タブ６３と、可撓性タブ６３から上方に突出するように形成されている一連の係止突起６４とを備えている。図９の断面図に示されるように、可撓性タブ６３が通孔３２２の上端縁に当接すると、係止突起６４は通孔３２２の上端縁に係止して、固定フレーム３２１のマスクフレーム４１に対する回動を制限することが出来る。そして可撓性タブ６３を下方に曲げるように操作すると、可撓性タブ６３の係止突起６４による制限が解除されるので、固定フレーム３２１はまたマスクフレーム４１に対して回動可能になる。
【００１７】
次いで、図１０、図１１を参照して本発明の第３の実施形態について説明する。
図１０に示されるように、本発明の第３の実施形態も第１の実施形態と類似する構成になっているので、以下は調整手段６の構成を中心に説明する。図示のように、この第３の実施形態における調整手段６は、固定フレーム３２１に形成され、内周面に雌ねじが形成されているねじ孔６５と、ねじ孔６５に対応する雄ねじ６７１が形成されている調整棒６７と、マスクフレーム４１に形成され、ねじ孔６５に挿し込まれる調整棒６７の先端が固定されている連結部６６とを備えている。連結部６６には収容孔６６１がねじ孔６５に対応して形成されている。調整棒６７は、雄ねじ６７１より細く形成されている小径部６７３と、小径部６７３の先端に張り出すように形成されているフランジ６７２とを有している。小径部６７３は収容孔６６１に挿し込まれ、フランジ６７２は連結部６６の後方に当接している。この構成により、固定フレーム３２１のマスクフレーム４１に対する回動角度は、調整棒６７を回すことによって、所定範囲内で自在に調整することができる。
【００１８】
次いで、図１２、図１３を参照して本発明の第４の実施形態について説明する。
図１２に示されるように、本発明の第４の実施形態は、第２の実施形態と類似する構成になっている。図１３の断面図に示されるように、この第４の実施形態では、マスクフレーム４１の左右両方にそれぞれ延伸する２本の回動軸５３が形成され、また、固定フレーム３２１には該２本の回動軸５３がそれぞれ嵌合して回動することができるように対応するソケット５４が形成されている。即ち、本発明において、固定フレーム３２１の下端部がマスクフレーム４１の下端部に枢支され、その枢支を中心に固定フレーム３２１がマスクフレーム４１の前面に対し接近したり離間したりするように回動することができていれば良く、回動軸や枢支孔の配置について、特に制限は無い。
【産業上の利用可能性】
【００１９】
上記構成により、本発明の呼吸補助マスクは、互いに回動可能な固定フレーム及びマスクフレームと、回動角度を調整する調整手段とを有することにより、使用者によって異なる顔面の形状に対応し、使用者の鼻や口の周りを確実に遮蔽することができ、患者に酸素を提供する呼吸補助マスクに特に適用することができる。
【符号の説明】
【００２０】
３  固定手段
３１１  額当てフレーム
３１２  第２の接続ラグ
３１３  付勢手段
３２  架橋部
３２１  固定フレーム
３２１  固定フレーム
３２２  通孔
３２３  第１の接続ラグ
３３  額当てパッド
４  マスク手段
４１  マスクフレーム
４２  マスクパッド
４３  コネクタ
５１  回動軸
５２  軸孔
５３  回動軸
５４  ソケット
６  調整手段
６１  可撓性タブ
６１１  係止孔
６２  係止突起
６３  可撓性タブ
６４  係止突起
６５  ねじ孔
６６  連結部
６６１  収容孔
６７  調整棒
６７１  雄ねじ
６７２  フランジ
６７３  小径部
８０１  鼻筋
【図１】
2011104096.tif 000003
【図２】
2011104096.tif 000004
【図３】
2011104096.tif 000005
【図４】
2011104096.tif 000006
【図５】
2011104096.tif 000007
【図６】
2011104096.tif 000008
【図７】
2011104096.tif 000009
【図８】
2011104096.tif 000010
【図９】
2011104096.tif 000011
【図１０】
2011104096.tif 000012
【図１１】
2011104096.tif 000013
【図１２】
2011104096.tif 000014
【図１３】
2011104096.tif 000015
【図１４】
2011104096.tif 000016
【図１５】
2011104096.tif 000017